(57)【要約】【課題】  集塵、髪の毛やペットの毛の絡め取りにおいて優れた不織布製の掃除用シートを提供することを目的とする。【解決手段】  シートの清拭面に高厚み領域と低厚み領域を設け、高厚み領域は、シート長手側縁部の片側から反対側まで連通するか或いはシート長手側縁部の片側から反対側まで断続した島状に配置されていることを特徴とする床用掃除具の掃除用シート。【選択図】  図６
2005304651.tif 000002
【特許請求の範囲】
【請求項１】
シートの清拭面に高厚み領域と低厚み領域を設け、高厚み領域は、シート長手側縁部の片側から反対側まで連通するか或いはシート長手側縁部の片側から反対側まで断続した島状に配置されていることを特徴とする床用掃除具の掃除用シート。
【請求項２】
高厚み領域と低厚み領域の面積比が２０／８０を超え８０／２０未満である請求項１記載の掃除用シート。
【請求項３】
高厚み領域は複数の厚みレベル或いは複数の勾配を持っている請求項１または２記載の掃除用シート。
【請求項４】
低厚み領域と最大高厚み領域の厚み差は４０ｇ／ｃｍ２加圧下で０．２ｍｍ以上３ｍｍ以下である請求項１から３までのいずれか１項記載の掃除用シート。
【請求項５】
高厚み領域はシートの長手方向および／またはこれに直交する方向に階段状に高低差を有する断面山型形状を有している請求項１から４までのいずれか１項記載の掃除用シート。
【請求項６】
断面山型形状を有している高厚み領域が低厚み領域のシート清拭面に複数のブロック状に配置されている請求項５記載の掃除用シート。
【請求項７】
高厚み領域のブロックがシート長手側縁部の片側から反対側に向って揃って配置されるか或いは互い違いに配列されている請求項５または６記載の掃除用シート。
【請求項８】
シート長手方向側縁部の片側から反対側まで連通している高厚み領域がその厚みに高低差を付けた高厚み領域の組合わせである請求項１から７までのいずれか１項記載の掃除用シート。
【発明の詳細な説明】
【技術分野】
【０００１】
本発明は床用掃除具（フローリングワイパー）の掃除用シートの改良に関する。
【背景技術】
【０００２】
フローリング等を清拭するため専用の掃除具に装着して使用するフローリングワイパーの掃除用シートは、綿埃や糸くず、毛髪等の捕集性を有する嵩高な不織布製シートに油剤を含ませたものが一般的に用いられ、現在広く家庭等に普及している。
このシートに凹凸を設けるなどして拭き取り面を有効に使う試みが幾つか行われている。
これらは凹部に比較的大きなゴミを捕捉して小さなゴミを内側に取り込むことを目的としているが、拭き取り時に押圧具合によっては充分に作用しないことがあり、集塵、髪の毛やペットの毛の絡め取りにおいて十分とはいえなかった。
【０００３】
【特許文献１】特開２０００−９３３７３公報
【特許文献２】特開平１０−１１７９８１号公報
【発明の開示】
【発明が解決しようとする課題】
【０００４】
本発明は集塵、髪の毛やペットの毛の絡め取りにおいて優れた不織布製の掃除用シートを提供することを目的とする。
【課題を解決するための手段】
【０００５】
本発明はシートの清拭面に高厚み領域と低厚み領域を設け、高厚み領域は、シート長手側縁部の片側から反対側まで連通するか或いはシート長手側縁部の片側から反対側まで断続した島状に配置されていることを特徴とする床用掃除具の掃除用シートに係わる。
【０００６】
本発明は上記において高厚み領域と低厚み領域の面積比が２０／８０を超え８０／２０未満である掃除用シートに係わる。
【０００７】
本発明は上記において高厚み領域は複数の厚みレベル或いは複数の勾配を持っている掃除用シートに係わる。
【０００８】
本発明は上記において低厚み領域と最大高厚み領域の厚み差は４０ｇ／ｃｍ２加圧下で０．２ｍｍ以上３ｍｍ以下である掃除用シートに係わる。
３ｍｍ以上の厚み差があると、低厚み領域が清拭に寄与できる割合が大幅に減少してしまい、結果的に清拭力を低下させてしまう。
【０００９】
本発明は上記において高厚み領域はシートの長手方向および／またはこれに直交する方向に階段状に高低差を有する断面山型形状を有している掃除用シートに係わる。
【００１０】
本発明は上記において断面山型形状を有している高厚み領域が低厚み領域のシート清拭面に複数のブロック状に配置されている掃除用シートに係わる。
【００１１】
本発明は上記において高厚み領域のブロックがシート長手側縁部の片側から反対側に向って揃って配置されるか或いは互い違いに配列されている掃除用シートに係わる。また本発明はシート長手方向側縁部の片側から反対側まで連通している高厚み領域がその厚みに高低差を付けた高厚み領域の組合わせである掃除用シートに係わる。
【発明の効果】
【００１２】
（１）低厚み領域が、ゴミをシートの中央部まで呼び込みシートの有効面積を広げる。
（２）低厚み領域では、拭き取り時にシートの圧縮が少なく、シートを構成する繊維同士の距離が保たれ、ゴミの保持に大きく寄与し再放出が少ない。
（３）高厚み領域に複数の厚みレベルがあると、拭き取り時の押し付け具合により特に高厚み領域の厚さが大きく変化し、低厚み領域との高低差により、ゴミの大きさや種類に対応して捕捉性が増す。
また、高厚み領域の周辺で、繊維間距離が広がることでもより捕捉性が増大する。
【発明を実施するための最良の形態】
【００１３】
以下に本発明を図面に示す実施例によって説明するが、本発明はこれのみに制約されるものではない。
【実施例１】
【００１４】
図１はフローリングワイパー掃除具の外観図で掃除用不織布（シート）を取付け保持するための平面長方形状のヘッド治具（Ａ）上に自在継手（Ｂ）を介して柄（Ｃ）が連結された構造である。
図２および図３は保持ヘッドに取付ける掃除用シートの平面図および長手方向断面図で、シートを構成する平面長方形の不織布はシートの上下の長手辺縁を治具係合部（１）（１）としこれら係合部間を清拭面（２）としている構成である。
この清拭面（２）上にシート長手辺縁部の片側から反対側まで連通した高厚み領域（３）が帯状に多数平行して延び高厚み領域（３）と、高厚み領域（３）相互間の低厚み領域（４）とが縞模様状に配列されている。
【実施例２】
【００１５】
図４および図５は掃除用シートの他の例を示す平面図および長手方向断面図で、清拭面（２）上にシート長手側縁部の片側から反対側まで帯状の高厚み領域（３）が島状に断続して低厚み領域（４）内に配列されている。
図面では帯状の高厚み領域（３）は上下の２群に分けられており、各群の帯状の高厚み領域（３）は長手側縁部に向って「ハ」の字状に開いた形に多重的に配列されている。
【実施例３】
【００１６】
図６および図７は更に他の例を示す掃除用シートの平面図および長手方向断面図で清拭面（２）上にシート長手側縁部の片側から反対側まで高厚み領域（３）が島状に断続して低厚み領域（４）内に配列されているが、この高厚み領域（３）の各ブロック（島状）はシートの長手方向に階段状に高低差を有する断面山型形状を有している。
図面では各ブロックは最高高位の隆起帯（ｈ１）の両側に次高位の隆起帯（ｈ２）（ｈ３）、その両側に次次高位の隆起帯（ｈ４）（ｈ５）が更に隆起帯（ｈ５）の外側に最低位の隆起帯（ｈ６）が階段状に連続配列されている。
【実施例４】
【００１７】
図８は図６の引例を示す掃除用シートの清拭面の平面図で、高厚み領域（３）のブロックがシート長手方向側縁部の片側から反対側に向って互い違いに配列されている。
また各ブロック面の高厚み領域（３）は最高位隆起帯（ｈ１）から左右の次高位の隆起帯（ｈ２）（ｈ４）（ｈ６）および（ｈ３）（ｈ５）（ｈ７）へと階段状に形成されている点では図６の場合と同様であるが、本例では各隆起帯に前後方向にも長短差を付けている点で特徴がある。即ち（ｈ１）が（ｌ１）と最長で（ｈ２）（ｈ４）（ｈ６）および（ｈ３）（ｈ５）（ｈ７）へと順次前後長さが（ｌ２）（ｌ４）（ｌ６）および（ｌ３）（ｌ５）（ｌ７）と順次短くなっている。
【実施例５】
【００１８】
図９は更に他の例を示す掃除用シートの清拭面の平面図で高厚み領域（３）のブロック（島状）は図６の場合と同様にシート長手側縁部の片側から反対側まで断続して低厚み領域（４）内に配列されているが、この高厚み領域（４）の各ブロックはシートの長手方向およびこれに直交する方向に夫々階段状の両方向断面山型に形成されている。
高厚み領域（３）は高位の台地状隆起帯（ｈ８）とこの隆起帯（ｈ１）を取り囲む四周の低位の台地状隆起帯（ｈ９）からなっている。
【実施例６】
【００１９】
図１０は図２の別例を示し、高厚み領域（３）は高位の高厚み領域（ｈ１０）と低位の高厚み領域（ｈ１１）とが多数平行してシート長手方向に交互に配列されている。
【実施例７】
【００２０】
図１１は図９の高厚み領域（３）の使用時の状態変化を模式的に示した拡大断面図で、初期の（１）相では最高位から最低位までの隆起帯（ｈ１）〜（ｈ５）までの高位レベルはそのまま保持されているが、中度の押し付けの（２）相では高厚み領域の最高レベル部（３−ｈ８）の周辺（第２レベル部（３−ｈ９）、（３−ｈ９））で繊維の反撥により繊維間の距離が拡がり、ゴミがシート間に捕捉され易くなる。
また更に押し付けることにより（３）相に示されるように低厚み領域（４）による拭き取りも機能する。
【実施例８】
【００２１】
高厚み領域と低厚み領域の面積比率を変えて清拭性のテストを行なった。
【表１】
2005304651.tif 000003
【００２２】
方法：粉体（ＪＩＳ  ７種  試験用粉体）で表面が平らなフローリング材の５×１５ｃｍに０．１ｇ散布し、清拭サンプルで１回拭き取り、拭き取り前後のサンプル重量から清拭率を計算した。
2005304651.tif 000004
高厚み領域（３）と低厚み領域（４）の面積比が７０／３０〜３０／７０の範囲で良好な成績が得られる。
【図面の簡単な説明】
【００２３】
【図１】フローリングワイパー掃除具の外観図。
【図２】実施例１の掃除用シートの平面図。
【図３】同上の長手方向断面図。
【図４】実施例２の掃除用シートの平面図。
【図５】同上の長手方向断面図。
【図６】実施例３の掃除用シートの平面図。
【図７】同上の長手方向断面図。
【図８】実施例４の掃除用シートの平面図。
【図９】実施例５の掃除用シートの平面図。
【図１０】実施例６の掃除用シートの平面図。
【図１１】高厚み領域の使用時の経時変化を示した実施例７の模式図。              （１）相は初期の状態図。              （２）相は中間の状態図。              （３）相は終期の状態図。
【符号の説明】
【００２４】
Ａ……ヘッド治具
Ｂ……自在継手
Ｃ……柄
１……シートのヘッド治具係合部
２……シートの清拭面
３……高厚み領域
４……低厚み領域
ｈ１……最高位隆起帯
ｈ２〜ｈ５……次高位の隆起帯
ｈ６、ｈ７……最低位の隆起帯
ｈ８、ｈ９……台地状隆起帯
ｈ１０……高位の高厚み領域
ｈ１１……低位の高厚み領域
ｌ１〜ｌ７……隆起帯の前後方向の長さ
【図１】
2005304651.tif 000005
【図２】
2005304651.tif 000006
【図３】
2005304651.tif 000007
【図４】
2005304651.tif 000008
【図５】
2005304651.tif 000009
【図６】
2005304651.tif 000010
【図７】
2005304651.tif 000011
【図８】
2005304651.tif 000012
【図９】
2005304651.tif 000013
【図１０】
2005304651.tif 000014
【図１１】
2005304651.tif 000015